(57)【要約】  【課題】  画像の縮小画像が表示されるまでの時間を短縮する画像記憶装置を提供する。  【解決手段】  縮小画像生成部１６は、信号処理部１５にて処理された画像データに対して縮小画像を生成する。縮小画像生成部１６は、集合画像３１が記憶部１７に記憶されているか否かを判断する機能を有している。縮小画像生成部１６は、集合画像３１が記憶部１７に記憶されていないと判断した場合、縮小画像を配置した集合画像３１を生成し、生成した集合画像３１を記憶部１７に記憶する。一方、集合画像３１が記憶部１７に記憶されていると判断した場合には、縮小画像を、すでに記憶されている集合画像３１に追記する。記憶部１７から集合画像３１を読み出すことにより、一度のアクセスで複数の縮小画像を表示部１９に表示することができる。【選択図】        図１
2005339053.tif 000002
【特許請求の範囲】
【請求項１】
外部から画像を取得する取得手段、及び該取得手段にて取得した画像の縮小画像を配置した集合画像を記憶媒体に記憶させる処理を行なう記憶処理手段を備える画像記憶装置であって、
前記取得手段が画像を取得した場合、記憶媒体に集合画像が記憶されているか否かを判断する判断手段と、
該判断手段が記憶媒体に集合画像が記憶されていると判断した場合、取得した画像の縮小画像を前記集合画像に追記する追記手段と
を備えることを特徴とする画像記憶装置。
【請求項２】
前記判断手段が記憶媒体に集合画像が記憶されていないと判断した場合、取得した画像の縮小画像を配置した集合画像を生成する生成手段を備え、
前記記憶処理手段は、前記生成手段が生成した集合画像を記憶媒体に記憶するように構成してあること
を特徴とする請求項１に記載の画像記憶装置。
【請求項３】
外部から画像を取得する取得手段、及び該取得手段にて取得した画像の縮小画像を配置した集合画像を記憶媒体に記憶させる処理を行なう記憶処理手段を備える画像記憶装置であって、
前記取得手段が画像を取得した場合、記憶媒体に集合画像が記憶されているか否かを判断する第１判断手段と、
該第１判断手段が記憶媒体に集合画像が記憶されていると判断した場合、取得した画像の縮小画像を前記集合画像に追記できるか否かを判断する第２判断手段と、
該第２判断手段が前記縮小画像を前記集合画像に追記できると判断した場合、前記縮小画像を前記集合画像に追記する追記手段と
を備えることを特徴とする画像記憶装置。
【請求項４】
前記第２判断手段が前記縮小画像を前記集合画像に追記できないと判断した場合、前記縮小画像を配置した新規の集合画像を生成する生成手段を備え、
前記記憶処理手段は、前記生成手段が生成した集合画像を記憶媒体に記憶するように構成してあること
を特徴とする請求項３に記載の画像記憶装置。
【請求項５】
前記集合画像に配置される縮小画像の位置を特定する位置特定情報を、前記集合画像に付帯する付帯手段
を備えることを特徴とする請求項１乃至請求項４のいずれか一つに記載の画像記憶装置。
【請求項６】
前記記憶処理手段は、前記取得手段が取得した画像を記憶媒体に記憶するように構成してあり、
前記集合画像に配置される縮小画像に係る画像の記憶媒体における記憶箇所に係る情報を前記集合画像の縮小画像に関連させて前記集合画像に付帯する情報付帯手段と、
前記集合画像に配置された縮小画像の選択を受け付ける選択受付手段と、
該選択受付手段が受け付けた縮小画像に係る画像を前記記憶箇所に係る情報に基づいて記憶媒体から読み出す手段と
を備えることを特徴とする請求項１乃至請求項５のいずれか一つに記載の画像記憶装置。
【発明の詳細な説明】
【技術分野】
【０００１】
本発明は、取得した画像の縮小画像を配置した集合画像を記憶媒体に記憶させる処理を行なう画像記憶装置に関し、より具体的には、縮小画像が表示されるまでの時間を短縮する画像記憶装置に関する。
【背景技術】
【０００２】
デジタルスチルカメラ、デジタルビデオカメラなどの撮像機器は、記憶媒体に記憶している画像に対応した縮小画像を表示部に表示して、画像の概要が利用者に分かるようにしている（例えば、特許文献１参照。）。利用者は、表示された縮小画像から目的の画像を視覚によって検索することができる。
【特許文献１】特開２０００−１０５７７２号公報
【発明の開示】
【発明が解決しようとする課題】
【０００３】
しかしながら、従来の撮像機器においては、縮小画像を表示する指示が行なわれることにより、画像に対応した縮小画像を生成し、生成した縮小画像を表示する。したがって、一度に表示する縮小画像の数が増加するに従って、縮小画像が表示されるまでに要する時間が長くなるという問題があった。
【０００４】
本発明は斯かる事情に鑑みてなされたものであり、外部から画像を取得した場合、記憶媒体に集合画像が記憶されているか否かを判断し、記憶媒体に集合画像が記憶されていると判断した場合に、取得した画像の縮小画像を集合画像に追加的に記憶する構成とすることにより、画像の取得時に画像の縮小画像を集合画像に蓄積して記憶して、一度の読出しによって複数の縮小画像を読み出すことができ、縮小画像が表示されるまでの時間を短縮することができる画像記憶装置の提供を目的とする。
【０００５】
また本発明は、外部から画像を取得した場合、記憶媒体に集合画像が記憶されているか否かを判断し、記憶媒体に集合画像が記憶されていると判断した場合に、取得した画像の縮小画像を集合画像に追記できるか否かを判断し、さらに縮小画像を集合画像に追記できると判断した場合に、縮小画像を集合画像に追加的に記憶する構成とすることにより、画像の取得時に画像の縮小画像を集合画像に蓄積して記憶して、一度の読出しによって複数の縮小画像を読み出すことができ、縮小画像が表示されるまでの時間を短縮することができる画像記憶装置の提供を目的とする。
【課題を解決するための手段】
【０００６】
本発明に係る画像記憶装置は、外部から画像を取得する取得手段、及び該取得手段にて取得した画像の縮小画像を配置した集合画像を記憶媒体に記憶させる処理を行なう記憶処理手段を備える画像記憶装置であって、前記取得手段が画像を取得した場合、記憶媒体に集合画像が記憶されているか否かを判断する判断手段と、該判断手段が記憶媒体に集合画像が記憶されていると判断した場合、取得した画像の縮小画像を前記集合画像に追記する追記手段とを備えることを特徴とする。
【０００７】
本発明にあっては、外部から画像を取得した場合、記憶媒体に集合画像が記憶されているか否かを判断する。そして、記憶媒体に集合画像が記憶されていると判断した場合、取得した画像の縮小画像を集合画像に追記する。これにより、画像の縮小画像は集合画像に蓄積されることになり、縮小画像の記憶媒体における管理が簡略化される。また、集合画像には複数の画像の縮小画像が記憶されることになるから、集合画像を読み出すことによって複数の画像の縮小画像が読み出される。このように、一度の読出しによって複数の縮小画像を読み出すことができるため、縮小画像が表示されるまでの時間を短縮することができる。
【０００８】
本発明に係る画像記憶装置は、上述した発明において、前記判断手段が記憶媒体に集合画像が記憶されていないと判断した場合、取得した画像の縮小画像を配置した集合画像を生成する生成手段を備え、前記記憶処理手段は、前記生成手段が生成した集合画像を記憶媒体に記憶するように構成してあることを特徴とする。
【０００９】
本発明にあっては、記憶媒体に集合画像が記憶されていないと判断した場合、取得した画像の縮小画像を配置した集合画像を生成し、生成した集合画像を記憶媒体に記憶する。これにより、集合画像が記憶媒体に記憶されていない場合には、新規に集合画像を生成するようにしたので、集合画像が記憶媒体に記憶されているか否かを問わず、取得した画像の縮小画像は集合画像に蓄積されることになる。
【００１０】
本発明に係る画像記憶装置は、外部から画像を取得する取得手段、及び該取得手段にて取得した画像の縮小画像を配置した集合画像を記憶媒体に記憶させる処理を行なう記憶処理手段を備える画像記憶装置であって、前記取得手段が画像を取得した場合、記憶媒体に集合画像が記憶されているか否かを判断する第１判断手段と、該第１判断手段が記憶媒体に集合画像が記憶されていると判断した場合、取得した画像の縮小画像を前記集合画像に追記できるか否かを判断する第２判断手段と、該第２判断手段が前記縮小画像を前記集合画像に追記できると判断した場合、前記縮小画像を前記集合画像に追記する追記手段とを備えることを特徴とする。
【００１１】
本発明にあっては、外部から画像を取得した場合、記憶媒体に集合画像が記憶されているか否かを判断する。そして、記憶媒体に集合画像が記憶されていると判断した場合、取得した画像の縮小画像を該集合画像に追記できるか否かを判断する。そして、縮小画像を該集合画像に追記できると判断した場合、縮小画像を該集合画像に追記する。これにより、縮小画像を該集合画像に追記できる場合に限って、画像の縮小画像は該集合画像に蓄積されることになり、縮小画像の記憶媒体における管理が簡略化される。また、集合画像には複数の画像の縮小画像が記憶されることになるから、集合画像を読み出すことによって複数の画像の縮小画像が読み出される。このように、一度の読出しによって複数の縮小画像を読み出すことができるため、縮小画像が表示されるまでの時間を短縮することができる。
【００１２】
本発明に係る画像記憶装置は、上述した発明において、前記第２判断手段が前記縮小画像を前記集合画像に追記できないと判断した場合、前記縮小画像を配置した新規の集合画像を生成する生成手段を備え、前記記憶処理手段は、前記生成手段が生成した集合画像を記憶媒体に記憶するように構成してあることを特徴とする。
【００１３】
本発明にあっては、すでに記憶媒体に記憶されている集合画像に縮小画像を追記できないと判断した場合、取得した画像の縮小画像を配置した新規の集合画像を生成し、生成した集合画像を記憶媒体に記憶する。これにより、すでに記憶している集合画像に縮小画像を追記できない場合には、新規に集合画像を生成するようにしたので、縮小画像を集合画像に追記できるか否かを問わず、取得した画像の縮小画像は集合画像に蓄積されることになる。
【００１４】
本発明に係る画像記憶装置は、上述した各発明において、前記集合画像に配置される縮小画像の位置を特定する位置特定情報を、前記集合画像に付帯する付帯手段を備えることを特徴とする。
【００１５】
本発明にあっては、集合画像に配置される縮小画像の位置を特定する位置特定情報を集合画像に付帯するようにしたので、位置特定情報を参照することによって縮小画像の位置を特定することができる。
【００１６】
本発明に係る画像記憶装置は、上述した各発明において、前記記憶処理手段は、前記取得手段が取得した画像を記憶媒体に記憶するように構成してあり、前記集合画像に配置される縮小画像に係る画像の記憶媒体における記憶箇所に係る情報を前記集合画像の縮小画像に関連させて前記集合画像に付帯する情報付帯手段と、前記集合画像に配置された縮小画像の選択を受け付ける選択受付手段と、該選択受付手段が受け付けた縮小画像に係る画像を前記記憶箇所に係る情報に基づいて記憶媒体から読み出す手段とを備えることを特徴とする。
【００１７】
本発明にあっては、集合画像に配置される縮小画像に係る画像の記憶媒体における記憶箇所に係る情報を縮小画像に関連させて集合画像に付帯する。そして、集合画像に配置された縮小画像の選択を受け付け、受け付けた縮小画像に係る画像を記憶箇所に係る情報に基づいて記憶媒体から読み出すようにしたので、受け付けた縮小画像に係る画像を確実に記憶媒体から読み出すことができる。
【発明の効果】
【００１８】
本発明によれば、画像の縮小画像は、記憶媒体に記憶された集合画像に蓄積されることになり、縮小画像の記憶媒体における管理が簡略化される。また、集合画像には複数の画像の縮小画像が記憶されることになるから、集合画像を読み出すことによって複数の画像の縮小画像を読み出されることができる。したがって、一度の読出しによって複数の縮小画像を読み出すことができるため、縮小画像が表示されるまでの時間を短縮することができる等、優れた効果を奏する。
【発明を実施するための最良の形態】
【００１９】
以下、本発明をその実施の形態を示す図面に基づいて詳述する。
【００２０】
図１は本発明に係る画像記憶装置を搭載したデジタルスチルカメラ１０の構成を示すブロック図である。
デジタルスチルカメラ１０は、制御部１１，ＲＯＭ１２，ＲＡＭ１３，撮像部１４，信号処理部１５，縮小画像生成部１６，記憶部１７，操作部１８，表示部１９を備えている。
【００２１】
制御部１１は、具体的にはＣＰＵで構成されており、バスを介して上述したようなハードウェア各部と接続されている。ＲＯＭ１２は、デジタルスチルカメラ１０の動作に必要な種々の制御プログラムを格納しており、制御部１１は、各部を制御して、ＲＯＭ１２に格納された制御プログラムに従って種々の機能を実行する。ＲＡＭ１３は、制御部１１による制御プログラムの実行時に発生する一時的なデータを記憶するもので、例えばＤＲＡＭ、フラッシュメモリ等により構成される。
【００２２】
撮像部１４は、エリア型のＣＣＤ、ＣＭＯＳなどの半導体素子であり、半導体素子はマトリクス状の画素を構成している。撮像部１４は、図示しないレンズを介して外部から入射された光を、入射光の強度に応じた電圧を有するアナログ形式の電気信号に変換して、信号処理部１５へ出力する。
【００２３】
信号処理部１５は、ＡＤＣ１５ａ及びデジタル処理部１５ｂを内蔵しており、ＡＤＣ１５ａは、撮像部１４から出力されたアナログ形式の電気信号をデジタル形式の電気信号に変換する。ＡＤＣ１５ａによって処理された信号は、Ｒ，Ｇ，Ｂ（原色）、又はＣ，Ｍ，Ｙ（補色）の各色が所定の階調（例えば１２ビット）を有するデータから構成される。なお、ＡＤＣ１５ａによる変換に先だって、ノイズ抑制処理、感度を調整する増幅処理、及びＣＤＳ（Correlated Double Sampling）処理を行い、電気信号を整形するようにしてもよい。
【００２４】
デジタル処理部１５ｂは、ガンマ補正処理、輪郭補正処理、及び画像形式変換処理を行なう。デジタル処理部１５ｂには、図示しない画像メモリが内蔵されており、画像メモリは、デジタル処理部１５ｂによる処理の実行中に生成されるデータを一時的に記憶する機能を有する。ガンマ補正処理は画像のガンマ特性を補正し、輪郭補正処理は、垂直輪郭及び水平輪郭を強調して映像全体の鮮明度を向上させる。画像形式変換処理は、上述した各種処理により調整された画像を所定の画像形式（例えば、ＪＰＥＧ形式）に変換する。
【００２５】
縮小画像生成部１６は、信号処理部１５にて処理された画像に対して縮小画像を生成する。縮小画像生成部１６は、集合画像（ファイル）３１が記憶部１７に記憶されているか否かを判断する機能を有しており、集合画像３１が記憶部１７に記憶されていないと判断した場合、縮小画像を配置した集合画像３１を生成し、生成した集合画像３１を記憶部１７に記憶する。
【００２６】
一方、集合画像３１が記憶部１７に記憶されていると判断した場合には、生成した縮小画像を、すでに記憶されている集合画像３１に追記する。集合画像３１の識別名を予め規定しておくことにより、縮小画像生成部１６は、記憶部１７にアクセスし、規定した識別名で検索を行なうことによって集合画像３１が記憶部１７に記憶されているか否かを判断することができる。
【００２７】
記憶部１７は、具体的にはフラッシュメモリであり、集合画像３１と、信号処理部１５にて処理された画像（ファイル）３２ａ，３２ｂ，…とを記憶している。集合画像３１及び画像３２ａ，３２ｂ，…は階層構造で管理されており、ディレクトリにより集合画像３１及び画像３２ａ，３２ｂ，…の記憶部１７における記憶箇所（所在）が指定できるものとする。
【００２８】
集合画像３１には、画像に対応する縮小画像と、画像の記憶部１７における記憶箇所に係る情報（以下、所在情報という）と、選択されたときの縮小画像の外枠の大きさ、縮小画像の位置を特定する位置特定情報、及びタイトル（ファイル名）等の付帯情報とが関連付けられて記憶されている。
【００２９】
所在情報は、画像選択キー１８ｃによる縮小画像の選択により、選択された縮小画像に対応する画像にアクセスするために利用される。付帯情報は、集合画像を表示部１９に表示する際の各縮小画像のフレームデータなどとして利用される。
【００３０】
操作部１８は、デジタルスチルカメラ１０を操作するために必要な文字キー、テンキー及び各種のファンクションキーなどを備えている。操作部１８は、ファンクションキーとして、被写体を撮像するタイミングを指定するシャッターキー１８ａと、集合画像を表示部１９に表示するための集合画像表示キー１８ｂと、表示部１９に表示された集合画像を構成する縮小画像のうちのいずれの縮小画像を選択するための画像選択キー１８ｃとを有する。
【００３１】
表示部１９は、ＬＣＤ又は有機ＥＬなどの表示デバイスで構成されており、デジタルスチルカメラ１０の動作状態の表示、利用者へ操作入力を促す画面の表示などを行なう。なお、表示部１９をタッチパネル方式とすることにより、操作部１８の各種のファンクションキーのうちの一部又は全部を代用することも可能である。
【００３２】
図２は本発明に係るデジタルスチルカメラの撮像処理における動作フローの概要を示すフローチャートである。なお、動作フローは一例であり、これに限定されるものではない。また、このような動作フローはＲＯＭ１２へ予めコンピュータプログラムを組み込んでおくことにより行なうことができる。
【００３３】
制御部１１は、シャッターキー１８ａの押下の有無に基づいて、その押下のタイミングに同期してシャッターを開口するとともに、撮像部１４を制御して被写体を撮像する（ステップＳ１）。撮像により生成した電気信号は、信号処理部１５へ出力され、ＪＰＥＧ形式の画像が生成される（ステップＳ２）。
【００３４】
次に、縮小画像生成部１６は、画像に対して縮小画像を生成する（ステップＳ３）。縮小画像生成部１６は、記憶部１７にアクセスし、集合画像３１が記憶部１７に記憶されているか否かを判断する（ステップＳ４）。
【００３５】
集合画像３１が記憶部１７に記憶されていないと判断した場合（Ｓ４：ＮＯ）、縮小画像生成部１６は、記憶部１７に縮小画像を配置するための集合画像３１を生成する（ステップＳ５）。この場合、集合画像３１は、所定のディレクトリにのみ生成するようにしておくことにより、集合画像３１が記憶部１７に記憶されているか否かを判断するための検索対象先を当該ディレクトリに限定することができ、判断に要する時間を短縮することができる。
【００３６】
そして、縮小画像生成部１６は、Ｓ３にて生成した縮小画像を集合画像３１に配置して記憶する（ステップＳ６）。一方、縮小画像生成部１６は、集合画像３１が記憶部１７に記憶されていると判断した場合（Ｓ４：ＹＥＳ）、記憶部１７に集合画像３１を生成することなく、Ｓ６へ移行し、すでに記憶されている集合画像３１に縮小画像を追記する。このようにして、集合画像３１には、複数の画像に係る縮小画像が記憶されることになる。
【００３７】
図３は本発明に係るデジタルスチルカメラの撮像処理の概要を示す説明図である。
デジタルスチルカメラ１０は、１回目の撮像時に集合画像３１を記憶部１７に生成し、撮像した画像に対して縮小画像３５ａを生成して、縮小画像３５ａを集合画像３１に配置して記憶する。その場合、画像の識別名３６ａが”ＡＡＡＡＡ”であることを縮小画像３５ａの下側に示して報知する（図３（ａ））。
【００３８】
そして、デジタルスチルカメラ１０は、２回目の撮像時には、撮像した画像に対して縮小画像３５ｂを生成して、１回目の撮像時に生成した集合画像３１に縮小画像３５ｂを追記する。画像の識別名３６ｂが”ＢＢＢＢＢ”である旨を縮小画像３５ｂの下側に示す（図３（ｂ））。デジタルスチルカメラ１０は、このような処理を３回目の撮像時以降も行って、集合画像３１を適宜更新する（図３（ｃ））。なお、横長の縮小画像と縦長の縮小画像とが混在する場合には、その旨を示す付帯情報に基づいて、図３（ｃ）に示すように、横長の縮小画像と縦長の縮小画像とを表示させることができる。もちろん、大きさ（画像サイズ）の異なる縮小画像を付帯情報に基づいて表示させることができることは言うまでもない。
【００３９】
図４は本発明に係るデジタルスチルカメラの画像表示処理における動作フローの概要を示すフローチャートである。なお、動作フローは一例であり、これに限定されるものではない。
【００４０】
制御部１１は、集合画像表示キー１８ｂの押下の有無に基づいて、集合画像の表示部１９への表示が設定されているか否かを判断する（ステップＳ２１）。集合画像の表示が設定されていない場合（Ｓ２１：ＮＯ）、処理をＳ２１に戻す。集合画像の表示が設定されている場合（Ｓ２１：ＹＥＳ）、制御部１１は、記憶部１７にアクセスして、集合画像３１を読み込み、集合画像３１に記憶されている縮小画像に基づいて、図３（ｃ）に示すような集合画像を表示部１９に表示する（ステップＳ２２）。
【００４１】
次に、制御部１１は、画像選択キー１８ｃの押下の有無に基づいて、表示部１９に表示された集合画像を構成する縮小画像のうちのいずれかの縮小画像が選択されたか否かを判断する（ステップＳ２３）。いずれの縮小画像も選択されていない場合（Ｓ２３：ＮＯ）、処理をＳ２３に戻す。いずれかの縮小画像が選択された場合（Ｓ２３：ＹＥＳ）、制御部１１は、選択された縮小画像に対応する画像の所在情報を集合画像３１から抽出する（ステップＳ２４）。そして、抽出した所在情報に基づいて画像を読み出し（ステップＳ２５）、読み出した画像を表示部１９に表示する（ステップＳ２６）。
【００４２】
このようにして、複数の縮小画像が集合画像３１に記憶されているため、記憶部１７から集合画像３１を読み出すことにより、一度のアクセスで複数の縮小画像を表示部１９に表示することができるため、縮小画像が表示されるまでの時間を短縮することができる。
【００４３】
なお、本実施形態では、発明の主旨を分かり易くするため、被写体の撮像毎に、撮像により得られる画像に対応した縮小画像を、１ファイルの集合画像に追記する処理手順について説明したが、一般にはファイル容量には上限値が設けられているため、記憶部１７に記憶されている集合画像に縮小画像が追記できるか否かを判断するようにしておき、その集合画像に縮小画像が追記できないと判断した場合には、新たな集合画像を生成して縮小画像を記憶するようにしてもよい。
【００４４】
図５は本発明に係るデジタルスチルカメラの撮像処理における動作フローの変形例の概要を示すフローチャートである。
縮小画像生成部１６は、集合画像が記憶部１７に記憶されていると判断した場合（Ｓ４：ＹＥＳ）、記憶部１７に記憶されている集合画像に縮小画像が追記できるか否かを判断する（ステップＳ１５）。具体的には、集合画像に記憶される縮小画像数の上限値を予め規定しておき、集合画像に記憶されている縮小画像数が上限値となった場合には、集合画像に縮小画像が追記できないと判断するようにする。
【００４５】
そして、縮小画像生成部１６は、記憶部１７に記憶されている集合画像に縮小画像が追記できないと判断した場合（Ｓ１５：ＮＯ）、Ｓ５へ移行し、記憶部１７に新たな集合画像を生成し、生成した集合画像に縮小画像を配置して記憶する。一方、縮小画像生成部１６は、記憶部１７に記憶されている集合画像に縮小画像が追記できると判断した場合（Ｓ１５：ＹＥＳ）、記憶部１７に集合画像を生成することなく、Ｓ６へ移行し、すでに記憶されている集合画像に縮小画像を追記する。その他の処理手順は図２と同様であるので、対応する処理手順には同一の符号を付してその詳細な説明を省略する。このようにして、集合画像には、複数の画像に係る縮小画像が記憶されることになる。
【００４６】
また、本実施形態では、撮像した画像が静止画である場合について説明したが、動画を撮像する場合について同様の処理をしてもよい。動画の場合には、映像データの所定（例えば最初）の映像フレームの画像を抽出し、抽出した画像から縮小画像を生成するようにすればよい。このようにすれば、集合画像には複数の映像データに係る縮小画像が記憶されることになり、本実施形態と同様に縮小画像が表示されるまでの時間を短縮することができる。
【００４７】
さらに、本実施形態では、本発明に係る画像記憶装置をデジタルスチルカメラに搭載した場合について説明したが、デジタルビデオカメラなどのような撮像機器、ＤＶＤレコーダ、ハードディスクレコーダなどのような映像機器に搭載してもよく、映像機器の場合には、チューナ、外部入力端子から入力された動画（映像データ）に対して上述と同様に、集合画像に、複数の映像データに係る縮小画像を記憶するように構成して、本実施形態と同様に縮小画像が表示されるまでの時間を短縮することができる。
【図面の簡単な説明】
【００４８】
【図１】本発明に係る画像記憶装置を搭載したデジタルスチルカメラ１０の構成を示すブロック図である。
【図２】本発明に係るデジタルスチルカメラの撮像処理における動作フローの概要を示すフローチャートである。
【図３】本発明に係るデジタルスチルカメラの撮像処理の概要を示す説明図である。
【図４】本発明に係るデジタルスチルカメラの画像表示処理における動作フローの概要を示すフローチャートである。
【図５】本発明に係るデジタルスチルカメラの撮像処理における動作フローの変形例の概要を示すフローチャートである。
【符号の説明】
【００４９】
１０  デジタルスチルカメラ
１１  制御部
１４  撮像部
１５  信号処理部
１６  縮小画像生成部
１７  記憶部
１８  操作部
１８ａ  シャッターキー
１８ｂ  集合画像表示キー
１８ｃ  画像選択キー
１９  表示部
３１  集合画像
３２ａ，３２ｂ,…  画像
【図１】
2005339053.tif 000003
【図２】
2005339053.tif 000004
【図３】
2005339053.tif 000005
【図４】
2005339053.tif 000006
【図５】
2005339053.tif 000007